(57)【要約】【課題】  手に提げたり、肩に掛けたり、背中で背負ったりなど複数の形態に変化させて使用することができるカバンにおいて、背負いカバンとして使用するときにはカバン本体から完全に分離するような部材を設けず、さらに、背負った状態で走ったり激しい動きをしても体に保持できるカバンを提供することを目的とする。【解決手段】物品を収納するカバン本体部１と、カバン本体部１の一の面に一端が固設され、他端が係止具２１を有し、使用者の右肩又は左肩のいずれか一方に掛ける背負いベルト２と、カバン本体部１の一の面に一端が固設され、他端が係止具２１と着脱可能に係止する取付具３１を有する支持部３と、カバン本体部１の一の面と一端側で固設され、他端側にカバン本体係合部１１と着脱可能に止着する止着部４１を有し、取付具３１及び支持部３の全てを覆い得る背当て部４とを備えるカバンにより解決することができた。【選択図】図１
2017000531.tif 000002
【特許請求の範囲】
【請求項１】
物品を収納するカバン本体部と、
前記カバン本体部の一の面に一端が固設され、他端が係止具を有し、使用者の右肩又は左肩のいずれか一方に掛ける背負いベルトと、
前記カバン本体部の一の面に一端が固設され、他端が前記係止具と着脱可能に係止する取付具を有する支持部と、
前記カバン本体部の一の面と一端側で固設され、他端側にカバン本体係合部と着脱可能に止着する止着部を有し、前記取付具及び前記支持部の全てを覆い得る背当て部とを備えることを特徴とするカバン。
【請求項２】
前記背負いベルトを使用するときに、
前記取付具及び前記支持部が前記背当て部から露出した状態で、前記背当て部が、前記止着部とカバン本体係合部の止着により前記カバン本体部を覆っていることを特徴とする請求項１に記載のカバン。
【請求項３】
前記取付具及び前記支持部が、前記カバン本体部の一の面における対向する辺に一対設けられていることを特徴とする請求項１又は請求項２に記載のカバン。
【発明の詳細な説明】
【技術分野】
【０００１】
本発明は、手提げ、肩掛け、背負いなどの複数の保持方法を使い分けることができる鞄に関する。
【背景技術】
【０００２】
従来、手に提げたり、肩に掛けたり、背中で背負ったりなどの使用者の好みに応じて複数の形態に変化させて使用することができるカバンが知られている。
【０００３】
例えば、特許文献１には、手提げバッグとして使用するときに用いられる取手４や、補助側面体３の周囲のオープンファスナー６を開いて補助側面体３を取り外してバッグ本体１から完全に分離して、背負いバッグとして使用するために用いられる背負紐２を備えたバッグが開示されている。
【先行技術文献】
【特許文献】
【０００４】
【特許文献１】実開平６−８１３２３号公報
【発明の概要】
【発明が解決しようとする課題】
【０００５】
しかしながら、特許文献１のバッグでは、背負いバッグにするために、背負紐２などを隠ぺいする補助側面体３の周囲のオープンファスナー６を開いて補助側面体３を取り外してバッグ本体１から完全に分離する必要があるため、補助側面体３をそのバッグに収納するが他の場所に直しておかなければならないので、補助側面体３を紛失しやすいという問題があった。
【０００６】
そして、特許文献１のバッグでは、背負いバッグとして使用するときには、左右両方に位置する背負紐２を使用者の右肩及び左肩の両方に掛けることとなるが、背負紐２を右肩及び左肩の両方に掛けた状態で走ったりすると、背負紐２が両肩から外れそうになるために両手で左右両方の背負紐２を手で押させておく必要があり走りにくいなどの課題があった。
【０００７】
そのため、本発明では、手に提げたり、肩に掛けたり、背中で背負ったりなどの使用者の好みに応じて複数の形態に変化させて使用することができるカバンにおいて、背負いカバンとして使用するときにはカバン本体から完全に分離するような部材を設けず、さらに、背負った状態で走ったり激しい動きをしても体に保持できるカバンを提供することを目的とする。
【課題を解決するための手段】
【０００８】
〔１〕すなわち、本発明は、物品を収納するカバン本体部１と、カバン本体部１の一の面に一端が固設され、他端が係止具２１を有し、使用者の右肩又は左肩のいずれか一方に掛ける背負いベルト２と、カバン本体部１の一の面に一端が固設され、他端が係止具２１と着脱可能に係止する取付具３１を有する支持部３と、カバン本体部１の一の面と一端側で固設され、他端側にカバン本体係合部１１と着脱可能に止着する止着部４１を有し、取付具３１及び支持部３の全てを覆い得る背当て部４とを備えることを特徴とするカバンである。
【０００９】
〔２〕そして、背負いベルト２を使用するときに、取付具３１及び支持部３が背当て部４から露出した状態で、背当て部４が、止着部４１とカバン本体係合部１１の止着によりカバン本体部１を覆っていることを特徴とする前記〔１〕に記載のカバンである。
【００１０】
〔３〕そして、取付具３１及び支持部３が、カバン本体部１の一の面における対向する辺に一対設けられていることを特徴とする前記〔１〕又は前記〔２〕に記載のカバンである。
【発明の効果】
【００１１】
本発明のカバンによれば、肩に掛けたり、背中で背負ったりなどの使用者の好みに応じて複数の形態に変化させて使用することができるカバンにおいて、背負いカバンとして使用するときにはカバン本体から完全に分離するような部材を設けず、さらに、背負った状態で走ったり激しい動きをしても体に保持することができる。
【図面の簡単な説明】
【００１２】
【図１】本発明のカバンにおいて、手提げ形態における正面側から見た斜視図である。
【図２】本発明のカバンにおいて、手提げ形態における背面側から見た斜視図である。
【図３】本発明のカバンにおいて、背当て部をカバン本体から開いた背面図である。
【図４】本発明のカバンにおいて、背負い形態における背面図である。
【発明を実施するための形態】
【００１３】
以下、本発明に係るカバンに関する実施の形態について、添付の図面に基づいて詳しく説明する。なお、以下に説明する実施形態は、本発明を実施するに好ましい具体例であるから、技術的に種々の限定がなされているが、本発明は、以下の説明において特に発明を限定する旨が明記されていない限り、この形態に限定されるものではない。そして、数値範囲を表す表現は下限と上限を含有するものである。
【００１４】
図１〜図４に示すように、本発明のカバンは、内部に種々の物品を収納し得るカバン本体部１と、背負いカバンとしてカバン本体部１を背負うときに用いる背負いベルト２と、背負いベルト２の端部を着脱可能に係止する取付具３１と、その取付具３１が設けられている支持部３と、カバン本体部１と着脱可能に設けられている背当て部４などを備えている。
【００１５】
カバン本体部１は、物品を収納する部材であり、本実施形態において矩形状を有している。なお、カバン本体部１は、本実施形態において矩形状であるが、他の実施形態において略台形状、正方形などの矩形状以外の多角形状などとすることもできる。
【００１６】
そして、カバン本体部１の一の面には、背当て部４を止着するために、磁気を有する円形状のカバン本体係合部１１を有している。後述する背当て部４に設けられた止着部４１と磁力により必要に応じて着脱することができる。また、カバン本体係合部１１は、本実施形態において磁力により止着部４１と着脱することができるが、止着部４１と互いに嵌合して着脱できるボタンとすることもできるし、止着部４１と着脱できる面ファスナーとすることもできるし、止着部４１と係合しており着脱できるフックなどとすることもできる。
【００１７】
そして、図１、図２に示すように、カバン本体部１の内部に種々の物品を収納したり、又は内部から種々の物品を取り出したりするために、カバン本体部１の３つの側面に亘り開閉線ファスナー１２が設けられている。
【００１８】
図３、図４に示すように、背負いベルト２は、カバン本体部１の一の面に一端が固設されており、他端が係止具２１を有しており、使用者の片側の肩に掛けうる部材であり、本実施形態において帯状を有している。カバン本体部１の側面に設けられた二つの第一ハンドル５やカバン本体部１の側面に設けられた一つの第二ハンドル６を用いて手提げカバンとして使用するときには、又は、カバン本体部１の側面両側に設けられたＤ字状の係止環７と係止する図示しない帯状ベルトを用いて片側の肩にひっかけて肩掛けカバンとして使用するときには、背負いベルト２は、背当て部４に覆われるようにして背当て部４とカバン本体部１との間に収められている。一方、背負いカバンとして使用するときには、図３に示すように、背当て部４とカバン本体部１とをより確実に繋ぎとめている係止線ファスナー８を操作し開き止着部４１をカバン本体係合部１１から外して背当て部４をカバン本体部１の一の面より開けてから、背負いベルト２、係止具２１、支持部３、取付具３１が露出するようにして、図４に示すように、背当て部４をカバン本体部１の一面に覆い、係止線ファスナー８の一方を閉じ止着部４１をカバン本体係合部１１に止着する。このようにして、背負いベルト２を使用者の右肩又は左肩から、たすき掛けにして背負うことができる。
【００１９】
上述したように、本実施形態のカバンを、カバン本体部１の側面に設けられた二つの第一ハンドル５を用いて手提げカバンとして使用することができ、第一ハンドル５とは異なるカバン本体部１の側面に設けられた一つの第二ハンドル６を用いて異なるタイプの手提げカバンとして使用することができ、そして、カバン本体部１の側面両側に設けられたＤ字状の係止環７と係止する図示しない帯状ベルトを用いて片側の肩にひっかけて肩掛けカバンとして使用することができ、さらに、カバン本体部１の一の面に設けられている背負いベルト２を用いて背負いカバンとして使用することができるので、合計４種類の使用方法がある。
【００２０】
背負いベルト２の他端には、係止具２１が取り付けられており、カバン本体部１に設けられた取付具３１と着脱可能に係止することができる。係止具２１は、図３、図４に示すように、本実施形態において、スナップフックを用いており、簡便に取付具２１と着脱することができる。
【００２１】
支持部３は、カバン本体部１の一の面に固設されており、取付具３１を備える部材である。支持部３は、図３に示すように、本実施形態において、カバン本体部１の一の面において、カバン本体部１の対向する辺の両方に取り付けられている。
【００２２】
取付具３１は、支持部３の他端側に取り付けられて、係止具２１と着脱可能に係止する部材である。取付具３１は、本実施形態において、環状の形状をしており、スナップフックである係止具２１と容易に着脱することができるようになっている。そして、図３に示すように、本実施形態において、取付具３１も、支持部３と同様にカバン本体部１の一の面において、カバン本体部１の対向する辺の両方に取り付けられている。これにより、使用者は背負いベルト２に取り付けられた係止具２１をどちらかの取付具３１と係止させて、右肩に背負いベルト２を掛けてたすき掛けにするか、左肩に背負いベルト２を掛けてたすき掛けにするか選ぶことができる。
【００２３】
さらに、図２に示すように、支持部３及び取付具３１は、手提げカバン、肩掛けカバンとして使用するときには、背当て部４に覆われているため露出していない。これにより、手提げカバン、肩掛けカバンとして使用するときに、支持部３及び取付具３１が意図せずに突起物などに引っ掛かり、ちぎれたり、破損したりすることがないという効果を奏する。
【００２４】
背当て部４は、カバン本体部１の一の面の一端側でカバン本体部１に固設され、カバン本体部１の一の面の他端側で、止着部４１を介してカバン本体部１と着脱可能であり、カバン本体部１の一の面に設けられている支持部３と取付具３１の全てを覆い得る部材である。本実施形態において、背当て部４は、カバン本体部１の一の面の面積より一回り小さい矩形状でカバン本体部１の厚みよりも薄い部材で構成されている。また、背当て部４には、背負いカバンとして使用するときに使用者の背中の痛みを緩和するためにクッション材が内包されている。
【００２５】
そして、止着具４１は、背当て部４におけるカバン本体部１と固設されている一端側とは異なる他端側に設けられており、カバン本体部１のカバン本体係合部１１と着脱可能に止着しうる部材である。本実施形態において、カバン本体係合部１１と磁力により必要に応じて着脱することができる。また、止着具４１は、本実施形態において磁力により止着部４１と着脱することができるが、カバン本体係合部１１と互いに嵌合して着脱できるボタンとすることもできるし、カバン本体係合部１１と着脱できる面ファスナーとすることもできるし、カバン本体係合部１１と係合しており着脱できるフックなどとすることもできる。
【００２６】
また、背当て部４における対向する二辺には、カバン本体部１と係止可能である係止線ファスナー８が設けられている。係止線ファスナー８により、手提げカバン、肩掛けカバンとして使用しているときなどにおいて、背当て部４とカバン本体部１とを確実に固定することができ、支持部３及び取付具３１が背当て部４からはみ出して意図せずに突起物などに引っ掛かり、ちぎれたり、破損したりすることがないようにすることができる。
【００２７】
図１、図２などに示すように、第一ハンドル５は、矩形状のカバン本体部１における長手方向に沿う側面に設けられた略コの字状の部材であり、対向して二つ設けられている。カバン本体部１を横長状の手提げカバンとして使用するときに手で握る部材である。また、第二ハンドル６は、矩形状のカバン本体部１における短手方向に沿う側面に設けられた帯状の部材である。カバン本体部１を縦長状の手提げカバンとして使用するときに手で握る部材である。
【００２８】
係止環７は、矩形状のカバン本体部１における短手方向に沿う側面に設けられたリング状の部材であり、カバン本体部１の両側に設けられている。図示しない長さ調節可能で両端にスナップフックなどを有する帯状のベルトを用いて両端を係止環７と係止して、肩掛けカバンとして使用するときに肩に掛ける部材である。
【符号の説明】
【００２９】
１・・・カバン本体部
１１・・・カバン本体係合部
１２・・・開閉線ファスナー
２・・・背負いベルト
２１・・・係止具
３・・・支持部
３１・・・取付具
４・・・背当て部
４１・・・止着部
５・・・第一ハンドル
６・・・第二ハンドル
７・・・係止環
８・・・係止線ファスナー
【図１】
2017000531.tif 000003
【図２】
2017000531.tif 000004
【図３】
2017000531.tif 000005
【図４】
2017000531.tif 000006
【手続補正書】
【提出日】平成28年9月20日(2016.9.20)
【手続補正１】
【補正対象書類名】特許請求の範囲
【補正対象項目名】全文
【補正方法】変更
【補正の内容】
【特許請求の範囲】
【請求項１】
物品を収納するカバン本体部と、
前記カバン本体部の一の面に一端が固設され、他端が係止具を有し、使用者の右肩又は左肩のいずれか一方に掛ける背負いベルトと、
前記カバン本体部の一の面に一端が固設され、他端が前記係止具と着脱可能に係止する取付具を有する支持部と、
前記カバン本体部の一の面と一端側で固設され、他端側にカバン本体係合部と着脱可能に止着する止着部を有し、前記取付具及び前記支持部の全てを覆い得る背当て部と、
前記カバン本体部の側面に設けられた第一ハンドルと、
前記第一ハンドルが設けられた側面とは異なる側面に設けられた第二ハンドル
を備えることを特徴とするカバン。
【請求項２】
前記背負いベルトを使用するときに、
前記取付具及び前記支持部が前記背当て部から露出した状態で、前記背当て部が、前記止着部とカバン本体係合部の止着により前記カバン本体部を覆っていることを特徴とする請求項１に記載のカバン。
【請求項３】
前記取付具及び前記支持部が、前記カバン本体部の一の面における対向する辺に一対設けられていることを特徴とする請求項１又は請求項２に記載のカバン。
【手続補正２】
【補正対象書類名】明細書
【補正対象項目名】０００８
【補正方法】変更
【補正の内容】
【０００８】
〔１〕すなわち、本発明は、物品を収納するカバン本体部１と、カバン本体部１の一の面に一端が固設され、他端が係止具２１を有し、使用者の右肩又は左肩のいずれか一方に掛ける背負いベルト２と、カバン本体部１の一の面に一端が固設され、他端が係止具２１と着脱可能に係止する取付具３１を有する支持部３と、カバン本体部１の一の面と一端側で固設され、他端側にカバン本体係合部１１と着脱可能に止着する止着部４１を有し、取付具３１及び支持部３の全てを覆い得る背当て部４と、前記カバン本体部の側面に設けられた第一ハンドル５と、前記第一ハンドルが設けられた側面とは異なる側面に設けられた第二ハンドル６を備えることを特徴とするカバンである。